(57)【要約】      （修正有）【課題】リムに装着したときのスリットの開きを防止し、快適な使用感を得ることが出来る自動車用ハンドルカバーを提供する。【解決手段】自動車用ハンドルカバーは、自動車ハンドルのリムを被覆できるように内部に中空部を具えて円環状に形成されたゴム、ポリウレタン、軟質プラスチック等の伸縮性を有する部材からなる。ハンドルカバーの円環状内周面の中心線に沿って輪状のスリットを設けて、横断面がＣ字形状をなすように形成するとともに、この輪状のスリットの一部部位をハンドルカバーの円環状内周面の中心線位置から運転者から遠い側に偏倚させる。【選択図】図１
0003159746.tif 000002
【実用新案登録請求の範囲】
【請求項１】
自動車ハンドルのリムを被覆できるように内部に中空部を具えて円環状に形成されたゴム、ポリウレタン、軟質プラスチック等の伸縮性を有する部材からなるハンドルカバーであって、
このハンドルカバーの円環状内周面の中心線に沿って輪状のスリットを設けて横断面がＣ字形状をなすように形成するとともに、
この輪状のスリットの一部部位をハンドルカバーの円環状内周面の中心線位置から運転者から遠い側に偏倚させたことを特徴とする自動車用ハンドルカバー。
【請求項２】
前記スリットは、ハンドルカバーが自動車ハンドルのリムのスポークに当接する部位及びその近傍の部位では、ハンドルカバーの円環状内周面のほぼ中心線位置に形成し、ハンドルカバーが自動車ハンドルのリムのスポークに近接しない部位では、ハンドルカバーの円環状内周面の中心線位置から運転者から遠い側に偏倚させて形成したことを特徴とする、請求項１に記載の自動車用ハンドルカバー。
【請求項３】
自動車ハンドルのリムに被覆したときに、該リムの外周面に当接するように、前記中空部の内面に複数の輪状のリブを設けたことを特徴とする、請求項１又は２に記載の自動車用ハンドルカバー。
【請求項４】
前記中空部の内面に設けた複数のリブは、中空部の長円方向に沿って形成したことを特徴とする、請求項３に記載の自動車用ハンドルカバー。
【請求項５】
前記中空部の内面に設けた複数のリブは、中空部の横断面Ｃ形の短円方向に沿って形成したことを特徴とする、請求項３に記載の自動車用ハンドルカバー。
【考案の詳細な説明】
【技術分野】
【０００１】  本考案は、乗用車やトラックなどの自動車のハンドル（ステアリングホイール）に装着して用いるハンドルカバーに関するものである。
【背景技術】
【０００２】  従来、自動車のハンドルを操舵する際の滑りを防止したり、細いハンドルを太くして運転し易くしたり、あるいはハンドルの装飾性を高めるために、自動車のハンドルにハンドルカバーを装着して使用することが行われている。
このような目的のために用いられる従来のハンドルカバーは、ハンドルの表面を覆うカバー本体から構成され、このカバー本体の内周に開口するスリットを設け、このスリットを拡げハンドルカバーを開いてハンドルのリムに被覆して取り付けるようになっている。この自動車用ハンドルカバーの材質には、主に伸縮性のあるゴムや軟質プラスチック等が用いられている。【０００３】  このような従来のハンドルカバーは、このハンドルカバーの円環状内周面の中心線位置に輪状のスリットを設けて横断面がＣ字形状をなすように形成しているので、これをリムに取り付けるときには、ハンドルカバーの一部のスリットを拡げてリムに被せ、ハンドルカバーを手で引っ張って伸ばしながらリムに装着する。ハンドルのリムの大きさに対応するハンドルカバーを装着する際に、取り付け作業に力を要するものであった。
また、ハンドルカバーの中空部の大きさがリムの太さにほぼ対応している場合でも、ハンドルカバーを装着すると、リムのスポーク部に当たる部分のスリットが開き、スポーク部に当接しない部分のスリットまで開いてしまい、運転者がハンドルカバー越しにハンドルを操舵する際に、指に違和感を感じるという問題があった。【０００４】  上述の前者の問題点に対しては、一例として、断面Ｃ字形の円環状に形成されてなるゴム、ウレタン等の伸縮性・緩衝性を有する部材からなるハンドルカバーのベース層に複数の孔を設けてリムの直径の大小に拘わらず装着可能とするハンドルカバーが提案されている。（特開２００７−６２４２２号公報）しかし、後者の問題点については、解決策が提案されておらず、問題が残っていた。
【特許文献１】特開２００７−６２４２２号公報
【考案の開示】
【考案が解決しようとする課題】
【０００５】  本考案は、上述のような問題点に鑑みてなされたもので、スリットの形成位置をハンドルカバーの円環状内周面の中心線位置から運転者から遠い側に偏倚させることにより、リムに装着したときのスリットの開きを防止し、快適な使用感を得ることが出来る自動車用ハンドルカバーを提供することを目的とする。
【課題を解決するための手段】
【０００６】  上記課題を解決するために、本考案の請求項１の自動車用ハンドルカバーは、自動車ハンドルのリムを被覆できるように内部に中空部を具えて円環状に形成されたゴム、ポリウレタン、軟質プラスチック等の伸縮性を有する部材からなるハンドルカバーであって、このハンドルカバーの円環状内周面の中心線に沿って輪状のスリットを設けて横断面がＣ字形状をなすように形成するとともに、この輪状のスリットの一部部位をハンドルカバーの円環状内周面の中心線位置から運転者から遠い側に偏倚させたことを特徴とする。
本考案の自動車用ハンドルカバーは、輪状のスリットの一部部位をハンドルカバーの内周面の中心線位置から運転者から遠い側に偏倚させたことにより、ハンドルカバーのスリットを開いてリムに嵌めるときに、リムの上面部から嵌めることができ、ハンドルカバーのリムへの取り付けがし易くなる、という作用効果を奏する。【０００７】  本考案の請求項２の自動車用ハンドルカバーは、輪状のスリットは、自動車ハンドルのリムのスポークに当接する部位では、ハンドルカバーの円環状内周面のほぼ中心線位置に形成し、自動車ハンドルのリムのスポークに当接しない部位ではハンドルカバーの円環状内周面の中心線位置から運転者から遠い側に偏倚させて形成したことを特徴とする。
本考案の自動車用ハンドルカバーは、スリットをハンドルカバーが自動車ハンドルのリムのスポークに近接しない部位では、ハンドルカバーの円環状内周面の中心線位置から運転者から遠い側に偏倚させて形成したことにより、ハンドルカバーのスリットを開いてリムに嵌めるときに、リムの上面部から嵌めることができ、ハンドルカバーをリムに取り付けたときに、スポークに近接しない部位ではスリットの開きが少なく、リムにしっかりと巻き付くように被覆することができ、手で握った場合も握りやすい、という作用効果を奏する。【０００８】  本考案の請求項３の自動車用ハンドルカバーは、自動車ハンドルのリムに被覆したときに、該リムの外周面に当接するように、前記中空部の内面に複数の輪状のリブを設けたことを特徴とする。
本考案の自動車用ハンドルカバーは、上記のように構成したことにより、ハンドルカバーの中空部の内面に設けられた複数の輪状のリブがハンドルカバー自体を強化し、リムに取り付けたときにしっかりとリムに巻き付き固着される、という作用効果を奏する。【０００９】  本考案の請求項４の自動車用ハンドルカバーは、前記中空部の内面に設けた複数のリブは、中空部の長円方向に沿って形成されたことを特徴とする。
本考案の自動車用ハンドルカバーは、上記のように構成したことにより、ハンドルカバーがしっかりとリムに巻き付き、長円方向により強く作用し、リムのグリップ径の大小にある程度対応できる、という作用効果を奏する。【００１０】  本考案の請求項５の自動車用ハンドルカバーは、前記中空部の内面に設けた複数のリブは、中空部の横断面Ｃ形の短円方向に沿って形成されたことを特徴とする。
本考案の自動車用ハンドルカバーは、上記のように構成したことにより、ハンドルカバーがしっかりとリムに巻き付き、リムの短円方向により強く作用し、リムの長円周径の大小にある程度対応できる、という作用効果を奏する。
【考案の効果】
【００１１】  本考案の自動車用ハンドルカバーは、上述の手段を講じたことにより、以下の効果を奏する。
輪状のスリットの一部部位をハンドルカバーの内周面の中心線位置から運転者から遠い側に偏倚させたことにより、ハンドルカバーのスリットを開いてリムに嵌めるときに、リムの上面部から嵌めることができ、ハンドルカバーのリムへの取り付けがし易くなる。
また、ハンドルカバーが自動車ハンドルのリムのスポークに近接しない部位では、ハンドルカバーの円環状内周面の中心線位置から運転者から遠い側に偏倚させて形成したことにより、ハンドルカバーのスリットを開いてリムに嵌めるときに、リムの上面部から嵌めることができ、ハンドルカバーをリムに取り付けたときに、スポークに近接しない部位ではスリットの開きが少なく、リムにしっかりと巻き付くように被覆することができ、手で握った場合も握りやすい。
また、ハンドルカバーの中空部の内面に設けられた複数の輪状のリブがハンドルカバー自体を強化し、リムに取り付けたときにしっかりとリムに巻き付き固着される。
また、ハンドルカバーがしっかりとリムに巻き付き、長円方向により強く作用し、リムのグリップ径の大小にある程度対応できる。
また、ハンドルカバーがしっかりとリムに巻き付き、リムの短円方向により強く作用し、リムの長円周の大小にある程度対応できる。
【考案を実施するための最良の形態】
【００１２】  本考案の実施の形態を、図を用いて説明する。図１は、本考案の請求項１〜２に記載の自動車用ハンドルカバーの平面図、背面図及び各部断面図である。図１（平面図）は、運転者の方向から見たときのハンドルカバーの平面図である。図１（背面図）は、ハンドルカバーを背面側から見たときの図である。図１（Ａ−Ａ’断面図）は、平面図中のＡ−Ａ’線切断面の断面図である。図１（Ｂ−Ｂ’断面図）は、平面図中のＢ−Ｂ’線切断面の断面図である。図１（Ｃ−Ｃ’断面図）は、平面図中のＣ−Ｃ’線切断面の断面図である。図１（Ｄ−Ｄ’断面図）は、平面図中のＤ−Ｄ’線切断面の断面図である。
本考案のハンドルカバー１は、内部に中空部１０を具えた円環状に形成され、その円環状のハンドルカバーの内周面の中心線に沿って輪状のスリット２０を設けて横断面がＣ字形状をなすように形成されている。そして、この輪状のスリット２０は、ハンドルカバーの円環状内周面の中心線位置から運転者から遠い側に偏倚させて形成した部位２１と、円環状内周面のほぼ中心線位置に形成した部位２２とからなっている。
ハンドルカバー１の円環状の直径寸法は、自動車のハンドルのリムの直径にマッチする大きさに形成され、軽自動車用からトラック用まで約３５ｃｍ〜４５ｃｍ程度の大きさのものが用意される。中空部１０の寸法も、自動車のハンドルのリムのグリップの大きさに合わせて形成されている。【００１３】  本考案のハンドルカバー１は、スリット２１をハンドルカバーの円環状内周面の中心線位置から運転者から遠い側に偏倚させて形成したことにより、これをハンドルのリムに取付けるときは、スリット２１を開き、リムの上方（運転者に近い側）からリムに押し当てるようにしながら被覆することができるので、従来の円環状内周面の中心線位置に輪状のスリットを設けたハンドルカバーをリムに取り付けるときに、スリットを拡げてリムに被せ、ハンドルカバーを手で引っ張って伸ばしながらリムに装着しなければならないことに比べて、ハンドルカバーの取付が容易で作業に要する力も少なくて済む。
また、スリット２２を、ハンドルカバー１の円環状内周面のほぼ中心線位置に形成したことにより、スリット２２の部位がハンドルのスポークの位置に対応するようの取付けることにより、ハンドルカバー１をリムに被覆したときにスリット２２の開きをスポーク周辺の部位に限定することができ、スリット２１の部位ではリムにしっかり被覆し開くことがない。【００１４】  図２は本考案のハンドルカバーの取付図及び各部拡大端面図である。図２（ハンドルカバー取付図）は、ハンドルカバー１をリム５１に被覆した状態を示す図である。図２（Ａ−Ａ’拡大端面図）は、ハンドルカバー取付図中のＡ−Ａ’線切断面の拡大端面図である。図２（Ｂ−Ｂ’拡大端面図）は、ハンドルカバー取付図中のＢ−Ｂ’線切断面の拡大端面図である。
Ａ−Ａ’拡大端面図は、ハンドルカバー取付図中のＡ−Ａ’線が切断する、スリット２１が対応する部位の端面を拡大して示している。スリット２１が対応する部位では、スリット２１が開くことなくハンドルカバー１がしっかりとリム５１を被覆している。
Ｂ−Ｂ’拡大端面図は、ハンドルカバー取付図中のＢ−Ｂ’線が切断する、スリット２２が開いてスポーク５２に対応する部位の端面を拡大して示している。【００１５】  図３は、本考案の中空部の長円方向にリブを設けたハンドルカバーの正面図及び中空部拡大端面図である。図３（正面図）はハンドルカバー１の正面図であり、図３（Ａ−Ａ’拡大端面図）は正面図中のＡ−Ａ’線切断面の拡大端面図である。
Ａ−Ａ’拡大端面図は、ハンドルカバー１の正面図中のＡ−Ａ’線が切断する、中空部１０の内部のリブ３１の形成状態を示している。リブ３１は、ハンドルカバー１の中空部１０の長円方向に沿って輪状に複数形成されており、ハンドルカバー１自体を強化すると共に、リム５１に取り付けたときにしっかりと巻き付いてリム５１を被覆する。
また、複数の輪状のリブ３１が中空部１０の長円方向に沿って、それぞれのリブ３１が平行状に設けられているので、リブ３１によりハンドルカバー１の長円方向の強度が強化され、中空部１０の短円方向の強度はそのままであることから、中空部１０の短円方向に対しての伸長が許容され、リム５１のグリップ径の大小にもある程度対応できるようになっている。【００１６】  図４は、本考案の中空部の短円方向にリブを設けたハンドルカバーの平面図及び中空部断面図である。図４（平面図）はハンドルカバー１の平面図であり、図４（Ａ−Ａ’断面図）は平面図中のＡ−Ａ’線切断面の断面図である。リブ３２は、ハンドルカバー１の中空部１０の横断面Ｃ形の短円方向に沿って輪状に複数形成されており、ハンドルカバー１自体を強化すると共に、リム５１に取り付けたときにしっかりと巻き付いてリム５１を被覆する。
また、複数の輪状のリブ３２が中空部１０の横断面Ｃ形の短円方向に沿って、それぞれのリブ３２が平行状に設けられているので、リブ３２によりハンドルカバー１の短円方向の強度が強化され、中空部１０の長円方向の強度はそのままであることから、中空部１０の長円方向に対しての伸長が許容され、リム５１の長円周径の大小にもある程度対応できるようになっている。なお、図４（Ａ−Ａ’断面図）において、リブの符号３２は３カ所のリブにのみ図示し他は省略している。【００１７】  本考案の自動車用ハンドルカバーは、以上に説明した基本的な構造を有するものであるが、前記各図に示したハンドルカバーのリブの形状等は代表的な実施例のものであって、これに限定されるものではなく、本考案の技術的範囲に属するものであればよい。
本考案の自動車用ハンドルカバーは、ゴム、ポリウレタン、軟質プラスチック等の伸縮性を有する部材（熱可塑性エラストマー）からなるハンドルカバーであって、軽自動車用からトラック用ハンドル（直径３５〜４５ｃｍ）などのそれぞれのサイズとグリップ径に対応する大きさのものを用意する。前記各図では図示しないが、ハンドルカバーの外表面には、運転時の操舵の際の滑り止めや装飾のために、模様や凹凸加工が施されることがあり、本考案のハンドルカバーの外表面にそのような加工が施すことは、本考案の技術的範囲に影響するものではなく、より快適な運転環境を提供するために好ましい。
【図面の簡単な説明】
【００１８】
【図１】本考案のハンドルカバーの正面図、背面図及び各部断面図である。
【図２】本考案のハンドルカバーの取付け図及び各部拡大端面図である。
【図３】中空部の長円方向にリブを設けたハンドルカバーの正面図及び中空部拡大端面図である。
【図４】中空部の短円方向にリブを設けたハンドルカバーの平面図及び中空部断面図である。
【符号の説明】
【００１９】    １  ハンドルカバー
１０  中空部
２０  スリット
２１  円環状内周面の中心線位置から偏倚させて形成したスリット
２２  円環状内周面のほぼ中心線位置に形成したスリット
３１  中空部の長円方向に設けたリブ
３２  中空部の短円方向に設けたリブ
５０  自動車のハンドル
５１  リム
５２  スポーク
５３  パッド
【図１】
0003159746.tif 000003
【図２】
0003159746.tif 000004
【図３】
0003159746.tif 000005
【図４】
0003159746.tif 000006